(57)【要約】【課題】簡単な構造でしかも容易な作業によりケーブルを筐体に固定可能なケーブル固定構造を提供する。【解決手段】本願のケーブル固定構造は、ケース本体を貫通するケーブル５を当該ケース本体に固定するケーブル固定構造において、前記ケース本体に取り付けられるＵ字状のブッシュ受け１５を有する基体１６と、前記ケーブル５の途中に固定され、前記ブッシュ受け１５に嵌め込まれるブッシュ１２と、前記ケース本体に取り付けられ、前記ブッシュ受け１５に前記ブッシュ１２を保持する天板２と、を具備し、前記ブッシュ受け１５は、前記天板２側に突出する突部１５ｄを有し、前記天板２は、前記突部１５ｄと係合する係合部２ａを有している。【選択図】図５
2009232504.tif 000002
【特許請求の範囲】
【請求項１】
ケース本体を貫通するケーブルを当該ケース本体に固定するケーブル固定構造において、
前記ケース本体に取り付けられるＵ字状のブッシュ受けを有する基体と、前記ケーブルの途中に固定され、前記ブッシュ受けに嵌め込まれるブッシュと、前記ケース本体に取り付けられ、前記ブッシュ受けに前記ブッシュを保持する天板と、を具備し、
前記ブッシュ受けは、前記天板側に突出する突部を有し、前記天板は、前記突部と係合する係合部を有していることを特徴とするケーブル固定構造。
【請求項２】
前記ブッシュ受けは、前記ケース本体の長手方向に連続して複数形成され、前記突部は、隣接する前記ブッシュ受けの間に設けられていることを特徴とする請求項１に記載のケーブル固定構造。
【請求項３】
前記ブッシュの側面には前記ブッシュ受けと嵌合される溝部が形成され、前記ブッシュ受けの一部は、前記溝部を形成する両側の壁体と接触するように折り曲げられて形成されていることを特徴とする請求項１、又は２に記載のケーブル固定構造。
【発明の詳細な説明】
【技術分野】
【０００１】
本願は、ケーブルを筐体に固定するケーブル固定構造に関し、特にブッシュを介して筐体にケーブルを固定するケーブル固定構造に関する。
【背景技術】
【０００２】
従来から、筐体内から外部に引き出されるケーブルを当該筐体に固定する方法として、ブッシュを用いて筐体にケーブルを固定して取り付ける方法が知られている（特許文献１乃至３参照）。
【０００３】
このようなケーブル固定構造の一例として、図６乃至図９に示すように、断面が略円環状のブッシュ３０にケーブル３５を挿通して固定し、そのブッシュ３０をケース本体の背面板４０に取り付けられたブッシュホルダ４５に取り付け、その後、当該ケース本体に天板５０を取り付けて、ブッシュホルダ４５及び天板５０で当該ブッシュ３０を保持するものが知られている。
【０００４】
具体的には、図７に示すように、当該ブッシュ３０にはその周縁に溝部３２が形成され、当該溝部３２の断面形状は、図９に示すように、対向して配置される円弧とその円弧を一対の直線で結んだトラック形状に形成され、一方、当該ブッシュホルダ４５は、略Ｕ字状に形成されたブッシュ受け４５ａを有している。そして、当該ブッシュ３０は、図９の状態から９０度回転させた状態でブッシュ受け４５ａに挿入された後、ブッシュ３０を回転させて図６に示す状態でブッシュホルダ４５のブッシュ受け４５ａに取り付けられるようになっている。
【０００５】
また、図９に示すように、ブッシュ受け４５ａの内側両側面にはエッジ４７が形成されており、ブッシュ受け４５ａ内でのブッシュ３０の回転によって当該エッジ４７がブッシュ３０の一部に食い込み、当該ブッシュ３０は回転不能になっている。
【０００６】
また、図８に示すように、天板５０には、下方に突出する突部５３が形成されており、天板５０をケース本体に取り付ける際に、当該突部５３をブッシュ３０の溝部３２に係合させるようになっている。
【０００７】
このようにして、ブッシュ３０は、天板５０とブッシュホルダ４５によって背面板４０に固定され、当該ブッシュ３０に固定されたケーブル３５が固定されるようになっている。
【０００８】
【特許文献１】特開平１０−３２６９７９号公報
【特許文献２】特開２００３−１２５５１４号公報
【特許文献３】特開２００３−１２０８６１号公報
【発明の開示】
【発明が解決しようとする課題】
【０００９】
上記一例に示すケーブル固定構造は、ケーブル３５の引っ張りによるブッシュホルダ４５からのブッシュ３０の抜けを防止するとともに、姿勢を保持するためにブッシュホルダ４５にエッジ４７が形成されている。このエッジ４７をブッシュ３０に上手く食い込ませるためには、ブッシュ３０を図９の状態から９０度回転させた状態でブッシュホルダ４５に挿入後、図６に示すように当該ブッシュ３０を９０度回転させる必要があった。よって、ブッシュホルダ４５に対するブッシュ３０の装着作業が煩雑となっていた。
【００１０】
また、上記ケーブル固定構造では、天板５０に形成されている突部５３をブッシュ３０の溝部３２に係合させる必要があり、ブッシュ３０が複数ある場合には、突部５３を溝部３２のそれぞれに係合させにくいという作業性の問題があった。
【００１１】
さらに、ブッシュホルダ４５の内側両側面にエッジ４７を設けたり、天板５０に突部５３を設ける必要があり、部品単品レベルで所定の加工及び部品精度が要求され、その要求にともなう製造工程の増加が懸念されていた。
【００１２】
また、上記のケーブル固定構造では、図６に示すようにブッシュのトラック形状の長手方向が横向きにレイアウトされているために取付けスペースが大きくなる傾向があり、ケーブルを複数取付ける際に本体に収まりきらず別ユニットを設けなければならない場合もあった。
【００１３】
そこで、本願は上記不便さを課題の一例として為されたもので、簡単な構造でしかも容易な作業によりケーブルを筐体に固定可能でありかつ、スペースを有効に活用できるケーブル固定構造を提供することを目的とする。
【課題を解決するための手段】
【００１４】
上記課題を解決するために、請求項１に記載のケーブル固定構造は、ケース本体を貫通するケーブルを当該ケース本体に固定するケーブル固定構造において、前記ケース本体に取り付けられるＵ字状のブッシュ受けを有する基体と、前記ケーブルの途中に固定され、前記ブッシュ受けに嵌め込まれるブッシュと、前記ケース本体に取り付けられ、前記ブッシュ受けに前記ブッシュを保持する天板と、を具備し、前記ブッシュ受けは、前記天板側に突出する突部を有し、前記天板は、前記突部と係合する係合部を有していることを特徴とする。
【発明を実施するための最良の形態】
【００１５】
以下、本願の最良の実施形態について図１乃至図５を用いて説明する。図１はケーブル固定構造の断面構成図、図２は図１のＡ−Ａ断面図、図３はケーブル固定構造の平面図、図４は天板の特徴部分を示す筐体の斜視図、図５はケーブル固定構造の分解構成図である。
【００１６】
なお、以下に説明する本実施形態のケーブル固定構造は、一例として、車載用の再生装置Ｓに適用したものである。
【００１７】
再生装置Ｓは、例えば、ＣＤ等の情報記録媒体に所定のフォーマットで記録されている音声信号からなる音声データ（曲）を再生するものである。
【００１８】
この再生装置Ｓは、上部に開口を有する箱型形状に形成されたケース本体（図示なし）に、その開口を塞ぐ天板２を取り付けた筐体を有している。ケース本体は、底板と、その底板の周面から上方に立設される側板と、を備えて構成され、ケース本体には、前記音声データを再生するための電子機器（図示なし）が内蔵される。また、図２に示すように、この電子機器と接続される複数の線条体（以下、「ケーブル５」と称する。）が、背面側の側板（以下、「背面板１０」と称する。）を貫通して設けられる。
【００１９】
図１及び図２に示すように、ケーブル５には、その途中に略同軸構造で一体的に固定されたブッシュ１２が設けられている。当該ブッシュ１２は、断面が円環状に形成され、弾性変形可能な例えば熱可塑性の合成樹脂で形成されている。当該ブッシュ１２は、図２に示すように、筐体の内側に配置される一方の端部に小径の外周部を有するとともに、筐体の外側に配置される他方の端部に大径の外周部を有して構成され、軸線方向の断面形状が略台形状に形成されている。また、ブッシュ１２の外周面には、図２に示すように、その周囲に溝部１２ａが形成されている。また、ブッシュ１２の外周面の断面形状は円形状に形成され、溝部１２ａの断面形状は、図１及び図５に示すように、対向して配置される円弧とその円弧を一対の直線で結んだトラック形状に形成されている。
【００２０】
図１に示すように、背面板１０には、ケーブル５が貫通するための切欠部１０ａが形成されている。当該切欠部１０ａには、ブッシュ１２と嵌合するためのブッシュ受け１５を有するブッシュホルダ１６が取り付けられている。
【００２１】
このブッシュホルダ１６は、弾性を有する板状体で形成されており、背面板１０の表面に対して直交する方向に弾性変形可能である。
【００２２】
また、ブッシュ受け１５は、図５に示すように、背面板１０の長手方向に連続的に形成されており、複数のブッシュ１２が各ブッシュ受け１５にそれぞれ取り付け可能となっている。各ブッシュ受け１５は、略Ｕ字状に形成されており、略垂直方向に直線状に延びてブッシュ１２の側面を支持する側面支持部１５ａ、１５ｂと、円弧状に形成されてブッシュ１２の下端部を支持する下端部支持部１５ｃとを有し、ブッシュ１２の溝部１２ａと嵌合される。
【００２３】
また、図２に示すように、異なるブッシュ１２の片側側面を支持する側面支持部１５ｂの先端部は、クランク状に折り曲げられて形成されており、当該側面支持部１５ｂが嵌合される溝部１２ａの軸線方向両側に存在する壁体に接触するようになっている。これにより、ブッシュホルダ自身の強度を保ちつつ、引っ張りに対してブッシュ１２がブッシュホルダ１６から抜けにくくすることが可能となっている。また、ブッシュ１２は、ぐらつくことなくその姿勢を保持して、ブッシュホルダ１６に取り付けられる。特に、側面支持部１５ｂの幅が前記溝部１２ａの幅よりも薄い場合に効果的である。なお、本実施形態の側面支持部１５ｂは、先端部をクランク状に折り曲げるようになっているが、単に、ブッシュ１２の溝部１２ａに挿入可能な程度に先端部を所定の角度で折り曲げるようにしても構わない。このようにしても引っ張りに対してブッシュ１２がブッシュホルダ１６から抜けにくくすることが可能である。
【００２４】
また、図５に示すように、当該側面支持部１５ｂの先端部は、連続して形成される複数のブッシュ受け１５の両側に配置される側面支持部１５ａの上端部よりも上方に突出する突部１５ｄを有している。すなわち、突部１５ｄは、隣接して配置されるブッシュ受け１５の間に設けられた側面支持部１５ｂの先端部に有する。
【００２５】
一方、天板２には、図３及び図４に示すように、長手方向に延びる矩形状の孔部２ａが形成され、当該孔部２ａは、ブッシュ受け１５の側面支持部１５ｂの先端部に有する突部１５ｄと係合される。この突部１５ｄは、背面板１０側に天板２を押圧するように自身の弾性力でもって孔部２ａと係合している。
【００２６】
このように構成された本実施形態のケーブル取付構造によれば、ブッシュ１２は、ブッシュホルダ１６によってその姿勢が保持された状態で取り付けられ、ブッシュ１２上部には天板２が設けられているため、上下左右方向への移動が規制され、ブッシュ受け１５内に保持される。また、ブッシュ受け１５に有する側面支持部１５ｂの突部１５ｄを天板２の孔部２ａと係合させることで、ケーブル５の軸線方向への引っ張りに対するブッシュホルダ１６の強度を確保できる。また、ケーブル５の引っ張りに対しては、溝部１２ａの軸線方向両側の壁体に接触するように側面支持部１５ｂを折り曲げることによって、ブッシュホルダ１６からのブッシュ１２の抜け出しが有効に防止され、ブッシュ１２はその軸線方向に移動することなく保持される。
【００２７】
次に、本実施形態のケーブル取付構造における背面板に対するブッシュの固定作業について図５を用いて説明する。なお、ケーブル５の途中には予めブッシュ１２が固定されているものとする。
【００２８】
まず、ブッシュ１２に形成された溝部１２ａをブッシュホルダ１６のブッシュ受け１５に上方から挿入する。この時、ブッシュ１２は、当該溝部１２ａの直線部分が略垂直方向になるようにしてブッシュ受け１５に挿入される。
【００２９】
次に、ケース本体の開口を塞ぐように天板２を取り付ける。この時、ブッシュ受け１５の突部１５ｄを天板２に形成された孔部２ａに係合させる。
【００３０】
このようなブッシュの固定作業によれば、ブッシュ１２をブッシュ受け１５内に挿入後、天板２の孔部２ａにブッシュ受け１５に有する突部１５ｄを係合させて取り付けるだけで良いため、筐体（背面板１０）へのブッシュ１２の固定作業が簡単に行える。
【００３１】
以上に示すように、本実施形態のケーブル固定構造は、ケース本体を貫通するケーブル５を当該ケース本体に固定するケーブル固定構造において、前記ケース本体に取り付けられるＵ字状のブッシュ受け１５を有するブッシュホルダ１６と、前記ケーブルの途中に固定され、前記ブッシュ受け１５に嵌め込まれるブッシュ１２と、前記ケース本体に取り付けられ、前記ブッシュ受け１５に前記ブッシュ１２を保持する天板２と、を具備し、前記ブッシュ受け１５は、前記天板２側に突出する突部１５ｄを有し、前記天板２は、前記突部１５ｄと係合する孔部２ａを有している。なお、本実施形態のブッシュホルダ１６は、本願の基体として機能し、本実施形態の孔部２ａは、本願の係合部として機能する。
【００３２】
このように構成されたケーブル固定構造は、筐体へのケーブル５を含むブッシュ１２の固定作業が容易であり、且つ、ブッシュを保持するブッシュホルダの強度を容易に高めることが可能である。
【００３３】
また、前記ブッシュ受け１５は、前記ケース本体の長手方向に連続して複数形成され、前記突部１５ｄは、隣接する前記ブッシュ受け１５の間に設けられている。
【００３４】
このように構成されたケーブル固定構造は、ケース本体への複数のケーブル５の固定作業に対応することが可能である。また、複数のケーブルのケース本体への固定作業を容易に行えるとともに、スペースを有効に使うことができる。
【００３５】
なお、本願のケーブル固定構造は、所定の製品からケーブルが紐出しされているような場合（背面板に限られない。）のケーブル固定構造として適用することができ、再生装置以外にも適用することも可能である。また、本実施形態ではカーオーディオなどの再生装置に適用して説明しているが、ナビゲーション装置などに適用しても構わない。
【図面の簡単な説明】
【００３６】
【図１】ケーブル固定構造の断面構成図である。
【図２】図１のＡ−Ａ断面図である。
【図３】ケーブル固定構造の平面図である。
【図４】天板の特徴部分を示す筐体の斜視図である。
【図５】ケーブル固定構造の分解構成図である。
【図６】従来のケーブル固定構造の断面構成図の一例である。
【図７】図６のＢ−Ｂ断面図である。
【図８】従来のケーブル固定構造のける天板の特徴部分を示す筐体の斜視図である。
【図９】従来のケーブル固定構造の分解構成図である。
【符号の説明】
【００３７】
２  天板
２ａ  孔部
５  ケーブル
１２  ブッシュ
１５  ブッシュ受け
１５ｄ  突部
１６  ブッシュホルダ
【図１】
2009232504.tif 000003
【図２】
2009232504.tif 000004
【図３】
2009232504.tif 000005
【図４】
2009232504.tif 000006
【図５】
2009232504.tif 000007
【図６】
2009232504.tif 000008
【図７】
2009232504.tif 000009
【図８】
2009232504.tif 000010
【図９】
2009232504.tif 000011